(57)【要約】【課題】  構成部材を削減し、溶接等の手間及び溶接による耐食性の低下を防ぐと共に、上方蓋の開蓋を容易に行えるようにすること。【解決手段】  床、ベランダ等のスラブ１に設けられた開口内に設置され、内方に折畳み式避難梯子１０を収納すると共に、上縁部３４の一辺に上方蓋５の一側端部を開閉可能に枢着する収納枠３を、１枚の金属板の長手方向に沿う辺部に折曲縁片３５，３８を形成し、両側端部を残す側片３１に、スラブ内に埋設される膨隆部３２を形成し、折曲縁片３５に適宜間隔をおいた４箇所に切欠き３６ａ〜３６ｂを形成し、切欠き３６ａ〜３６ｂが位置する側片３１をプレス成形に方形状に折曲すると共に、側片３１の両端同士を溶接にて固定して形成する。このように形成される収納枠３を打抜き・絞り工程と、折曲・絞り工程と、四方曲げ工程と、溶接工程とで製造する。【選択図】    図４
2005054399.tif 000002
【特許請求の範囲】
【請求項１】
床、ベランダ等のスラブに設けられた開口内に設置され、内方に折畳み式避難梯子を収納すると共に、開口部の一辺に蓋の一側端部を開閉可能に枢着する避難梯子用収納枠であって、
１枚の金属板の長手方向に沿う辺部に折曲縁片を形成し、両側端部を残す側片に、上記スラブ内に埋設される膨隆部を形成し、上記折曲縁片の適宜間隔をおいた４箇所に切欠きを形成し、切欠きが位置する側片をプレス成形により直角状に折曲して方形状に形成すると共に、上記蓋の自由端側に位置する側片の両端同士を溶接にて固定してなる、ことを特徴とする避難梯子用収納枠。
【請求項２】
床、ベランダ等のスラブに設けられた開口内に設置され、内方に折畳み式避難梯子を収納すると共に、開口部の一辺に蓋の一側端部を開閉可能に枢着する避難梯子用収納枠の製造方法であって、
１枚の帯状金属板の一側端の長手方向に沿う両端部と、長手方向に沿う辺部の適宜間隔をおいた第１ないし第４の４箇所とを切欠き成形すると共に、第１の切欠きと第２の切欠きの間及び第３の切欠きと第４の切欠きの間における側片に蓋開閉用リンクの取付用突部及び孔を成形する打抜き・絞り工程と、
上記切欠きが形成された辺部を折曲して折曲縁片を成形すると共に、両側端部を残した側片に上記スラブ内に埋設される膨隆部を絞り成形する折曲・絞り工程と、
上記切欠きが成形された位置における側片をプレス成形により直角状に折曲して方形状に形成する四方曲げ工程と、
上記側片の両端部を重合して溶接により固定する溶接工程と、を有することを特徴とする避難梯子用収納枠の製造方法。
【請求項３】
請求項２記載の避難梯子用収納枠の製造方法において、
上記溶接工程における溶接をシーム溶接とすることを特徴とする避難梯子用収納枠の製造方法。
【発明の詳細な説明】
【技術分野】
【０００１】
この発明は避難梯子用収納枠及びその製造方法に関するもので、特に、集合住宅や事務所ビル等のベランダに設置される避難梯子用収納枠及びその製造方法に関するものである。
【背景技術】
【０００２】
従来、この種の避難梯子用収納枠としては、床、ベランダ等のスラブに設けられた開口内に設置される上部本体と、この上部本体の上方に取り付けられてベランダ等に露出するスカートと、上部本体の下方に取り付けられてベランダ等の下方に露出する下部本体とで形成される構造のものが知られている（例えば、特許文献１参照）。
【０００３】
また、収納枠の上枠、中枠、下枠とを一体に形成した４部材である囲部材を角部材に溶接や鋲着等によって定着して四方枠を形成する構造のものも知られている（例えば、特許文献２参照）。
【０００４】
また、一般に収納枠の上面開口部は上方蓋によって開閉可能に閉塞されており、内方に収納される避難梯子の使用時に、上方蓋の自由端部に形成された手掛け部に手を入れて上方蓋を持ち上げることにより上方蓋が開く構造となっている。この場合、平常時は転落等の防止のために上方蓋によって収納枠の開口部が閉塞されているが、美観等のために、上方蓋とスラブとの隙間が狭くなっている。
【特許文献１】特開２００３―１５９３４４号公報（段落番号００１４、００１５、図２、図４）
【特許文献２】実公平６―３２１２４号公報（実用新案登録請求の範囲、第１図、第５図）
【発明の開示】
【発明が解決しようとする課題】
【０００５】
しかしながら、上記前者すなわち特開２００３−１５９３４４号公報に記載のものは、収納枠のスカート（上枠）、上部本体（中枠）、下部本体（下枠）が別々に形成されており、それぞれをボルト等によって組み付けなくてはならないために、構成部材が多くなると共に、組み付けに手間がかかるという問題があった。
【０００６】
また、上記後者すなわち実公平６−３２１２４号公報に記載のものは、上枠、中枠及び下枠を一体に形成できるが、囲部材と囲部材との間に角部材を介在させて、溶接等によって定着するので、製作に手間がかかるという問題があった。また、溶接の場合、溶接不良によって防水性能の低下が生じて溶接部の耐食性が低下するので、ベランダ等のスラブ内の錆びやすい環境に埋設されると錆が発生し、美観を損なうばかりか強度の低下が生じるという問題があった。
【０００７】
また、収納枠の上方蓋は、美観の向上やベランダ等の使用空間の確保を図るため、収納枠の上枠部に近接した状態で取り付けられており、上方蓋と上枠部との間にはわずかな隙間しかないので、上方蓋の開蓋時に手間がかかるという問題があった。
【０００８】
この発明は、上記事情に鑑みてなされたもので、収納枠の構成部材を削減し、溶接等の手間及び溶接による耐食性の低下を防ぐと共に、収納枠に取り付けられた上方蓋の開蓋を容易に行えるようにした避難梯子用収納枠及びその製造方法を提供することを目的とするものである。
【課題を解決するための手段】
【０００９】
上記課題を解決するために、この発明の避難梯子用収納枠は、床、ベランダ等のスラブに設けられた開口内に設置され、内方に折畳み式避難梯子を収納すると共に、開口部の一辺に蓋の一側端部を開閉可能に枢着する避難梯子用収納枠であって、  １枚の金属板の長手方向に沿う辺部に折曲縁片を形成し、両側端部を残す側片に、上記スラブ内に埋設される膨隆部を形成し、上記折曲縁片の適宜間隔をおいた４箇所に切欠きを形成し、切欠きが位置する側片をプレス成形により直角状に折曲して方形状に形成すると共に、上記蓋の自由端側に位置する側片の両端同士を溶接にて固定してなる、ことを特徴とする（請求項１）。
【００１０】
また、この発明の避難梯子用収納枠の製造方法は、床、ベランダ等のスラブに設けられた開口内に設置され、内方に折畳み式避難梯子を収納すると共に、開口部の一辺に蓋の一側端部を開閉可能に枢着する避難梯子用収納枠の製造方法であって、  １枚の帯状金属板の一側端の長手方向に沿う両端部と、長手方向に沿う辺部の適宜間隔をおいた第１ないし第４の４箇所とを切欠き成形すると共に、第１の切欠きと第２の切欠きの間及び第３の切欠きと第４の切欠きの間における側片に蓋開閉用リンクの取付用突部及び孔を成形する打抜き・絞り工程と、  上記切欠きが形成された辺部を折曲して折曲縁片を成形すると共に、両側端部を残した側片に上記スラブ内に埋設される膨隆部を絞り成形する折曲・絞り工程と、  上記切欠きが成形された位置における側片をプレス成形により直角状に折曲して方形状に形成する四方曲げ工程と、  上記側片の両端部を重合して溶接により固定する溶接工程と、を有することを特徴とする（請求項２）。
【００１１】
また、この発明の避難梯子用収納枠の製造方法において、上記溶接工程における溶接をシーム溶接によって行う方が好ましい（請求項３）。
【発明の効果】
【００１２】
この発明の避難梯子用収納枠及びその製造方法は、上記のように構成されているので、以下のような効果が得られる。
【００１３】
（１）請求項１記載の発明によれば、１枚の金属板をプレス成形することで収納枠を形成することができるので、構成部材を削減を図ることができる。また、溶接部が１箇所で済むので、溶接による製造の手間を低減することができると共に、溶接による耐食性の低下を防ぎ、美観の向上等を図ることができる。
【００１４】
また、金属板の長手方向に沿う両側端部を残す側片に、スラブ内に埋設される膨隆部を形成し、側片の両端同士を溶接にて固定することによって、上方蓋を収納枠に取り付けた状態で、上方蓋と収納枠との間に手掛け用の空間を形成することができるので、上方蓋の開蓋を容易にすることができる。
【００１５】
（２）請求項２記載の発明によれば、打抜き・絞り工程と、折曲・絞り工程と、四方曲げ工程と、溶接工程とで収納枠を形成することができるので、折曲縁部及び膨隆部を有する収納枠を容易かつ精度良く作成することができる。また、構成部材の削減を図ることができると共に、製造コストの低減を図ることができる。
【００１６】
また、溶接工程における溶接をシーム溶接で行うことによって、溶接部の気水密性が向上するので、浸水による溶接部の耐食性の低下を防ぐと共に、美観の向上を図ることができる（請求項３）。
【発明を実施するための最良の形態】
【００１７】
以下に、この発明の最良の実施形態を添付図面に基づいて詳細に説明する。
【００１８】
図１は、この発明に係る避難梯子用収納枠及び避難梯子装置の使用状態（展開状態）を示す斜視図、図２は、避難梯子用収納枠と上方蓋及び下方蓋の開放状態を示す断面図、図３は、避難梯子用収納枠と上方蓋及び下方蓋の折畳み状態（収納状態）を示す断面図、図４は、避難梯子用収納枠の斜視図である。
【００１９】
上記避難梯子装置は、図１に示すように、複数の外側縦桟１１と内側縦桟１２をパンタグラフ状に連結してなる上下方向に伸縮可能な左右一対の伸縮体１３と、これら伸縮体１３間の外側縦桟の下端部に連結された複数の足掛け用横桟１４とからなる梯子体１０を具備している。なお、外側縦桟１１の上端部と内側縦桟１２の下端部とは図示しないピンによって回動自在に枢着（連結）され、外側縦桟１１の下端部近傍位置と内側縦桟１２上端部とは図示しないピンによって回動自在に枢着（連結）されている。
【００２０】
上記梯子体１０の最上部の外側縦桟１１は、床、ベランダ等のスラブ１に設けられたスラブ開口２にシール部材（図示せず）を介して嵌挿固定された収納枠３の内側面に固着された梯子受け４に枢支ピン１１ａを介して回動自在に枢着されている。
【００２１】
また、最上部の外側縦桟１１は、梯子受け４に一端が回動及び移動可能に取り付けられる平行リンク２０と共働して４節平行リンク機構２１を構成している。
【００２２】
上記梯子受け４は、例えばスチール等の金属板を折曲してなり、収納枠３に固定ボルト４ａをもって固定される固定片４０と、この固定片４０の両端に互いに平行に突設されて最上部の外側縦桟１１と平行リンク２０を取り付ける一対の取付片４１と、両取付片４１の先端部を溶接等の固定手段によって連結する足掛け兼用の補強枠４２とを具備している。
【００２３】
このように構成することにより、梯子受け４の強度を高めることができ、また、収納枠３に別途足掛け部を設ける必要がないので、構成部材の削減が図れる上、後述する緩降装置８の取付等の設置作業を容易にすることができる。
【００２４】
上記緩降装置８は、図１に示すように、梯子受け４の固定片４０に設けられている。この緩降装置８は、図示していない巻取ドラムを内蔵したラチェット機構を具備しており、巻取ドラムに巻回されるワイヤロープ８ａが梯子体１０の下端側の内側縦桟１２間に架設されるワイヤ受け９にフック９ａを介して連結されている。この緩降装置８により、上方及び下方蓋５，６が開放されたとき、梯子体１０は制御されながら伸長下降し、またワイヤロープ８ａの巻取によって梯子体１０が引上げられて収納枠３内へ収納されるようになっている。 なお、上方蓋５の内側面には手掛け棒５５が取り付けられている。
【００２５】
なお、外側縦桟１１と内側縦桟１２とは、スチール等の金属板を曲げ加工することによって例えば断面略クランク状に形成されている。また、横桟１４は、スチール等の金属板を曲げ加工することによって例えば断面略コ字状に形成されており、開口部と対向する水平片には複数の滑止め用突起（図示せず）が突設されている。
【００２６】
上記収納枠３は、スラブ開口２に埋設して嵌め込まれる方形状の例えばステンレス製部材にて形成されており、スラブ１内に埋設される中枠部３０と、中枠部３０から上方に延在してスラブ１の床面側に露出すると共に、上方蓋５が取り付けられる上縁部３４と、中枠部３０から下方に延在してスラブ１の真下の階における天井面側に露出する下縁部３７とで一体に構成されている。
【００２７】
上記中枠部３０には、スラブ開口２を覆う側片３１と、この側片３１の外面からスラブ１内に膨隆してスラブ１内に埋設されてアンカの役割をする膨隆部３２と、一対の側片３１の対峙する箇所に蓋開閉用リンク機構７を取り付けるリンク取付部３３とが形成されている。
【００２８】
上記膨隆部３２は、側片３１の上部から、側片３１の外方に向かって下り勾配状に突出する上部膨隆片３２ａと、側片３１の中間部から側片３１の外方に向かって略直角に突出する下部膨隆片３２ｂと、上部膨隆片３２ａと下部膨隆片３２ｂの先端に連続して、膨隆片３２ａ，３２ｂに対して垂直に折曲される垂直片３２ｃとで形成されている。このように側片３１に膨隆部３２を形成することにより、スラブ１との密着性及び水密性の向上を図ると共に、収納枠３の強度の向上を図ることができる。なお、この場合、膨隆部３２は、図１，図４及び図５に示すように、上縁部３４に取り付けられる上方蓋５の手掛け部５３が位置する部分には形成されておらず、上方蓋５と収納枠３との隙間を広くすることができるので、手掛け部５３を容易に掴むことができ、上方蓋５の開閉を容易に行うことができる。
【００２９】
上記リンク取付部３３は、梯子受け４が取り付けられる側片３１に直交する一対の側片３１の梯子受け４側に形成されており、スラブ開口２の内方に膨隆すると共に、内方に向かって縮径する略円柱状に形成される取付用突部３３ａと、この取付用突部３３ａの中心部に穿設されて蓋開閉用リンク機構７を取り付ける取付孔３３ｂとで形成されている。このようにリンク取付部３３を側片３１に膨隆して形成することで、収納枠３への蓋開閉用リンク機構７の取り付けが可能となる。
【００３０】
また、中枠部３０のリンク取付部３３が形成される側片３１には、図２に示すように、梯子受け４が取り付けられる側片３１側に下方蓋６を開閉可能に枢着する係止部３０ａが形成されており、また、略中央下部には後述する下方蓋６の下方蓋縁６２に一端が枢着される下蓋ステー６０の自由端を摺動可能に取り付ける取付ボルト３０ｂが取り付けられている。
【００３１】
上記上縁部３４は、中枠部３０の側片３１から延在して、スラブ開口２の内方に向かって垂直に折曲すると共に、先端が下方に折曲する断面略鉤状の上方折曲縁片３５によって形成されている。このように上縁部３４に断面略鉤状の上方折曲縁片３５を形成することによって、収納枠３の強度の向上を図ると共に、避難者が上縁部３４を通過する際に、衣服等の引っ掛りを防ぐことができる。この場合、上縁部３４の四方隅の上方折曲縁片３５には第１の切欠き３６ａ、第２の切欠き３６ｂ、第３の切欠き３６ｃ、第４の切欠き３６ｄが形成されている。このように上縁部３４の四方隅に切欠き３６ａ，３６ｂ，３６ｃ，３６ｄが形成されているので、コーナ部にしわが生じない。また、上縁部３４の一辺すなわち中枠部３０の梯子受け４を取り付ける辺の両端に、上方蓋５を開閉可能に枢着する枢着部３４ａが形成されている。
【００３２】
なお、上方折曲縁片３５は、スラブ開口２の内方に向かって折曲したものに限られず、図８（ａ）に示すように、外方に向かって折曲した形状の上方折曲縁片３５Ａに形成してもよい。また、膨隆部３２は、対峙する上部膨隆片３２ａが下り勾配に突出したものに限られず、図８（ｂ）に示すように、上部膨隆片３２ａと下部膨隆片３２ｂとを互いに平行になるように膨隆部３２Ａを形成してもよい。
【００３３】
上記下縁部３７は、中枠部３０の側片３１の下端辺部からスラブ開口２の外方に向かって垂直に折曲すると共に、先端が上方に折曲する断面略鉤状の下方折曲縁片３８によって形成されている。なお、この場合、下縁部３７の四方隅の下方折曲縁片３８にも、上記上方折曲縁片３５と同様に切欠きを形成してもよい。このように下縁部３７に断面略鉤状の下方折曲縁片３８を形成することで、上方折曲縁片３５と共働して収納枠３の強度の向上を図ると共に、避難者が下縁片を通過する際に、衣服等の引っ掛かりを防ぐことができる。
【００３４】
上記上方蓋５は、図１に示すように、方形状に形成された収納枠３の上縁部３４を覆う矩形状の上方蓋板５１と、上方蓋板５１の４辺から下方側に略直角に折曲された上方蓋縁５２とで一体に形成されている。また、一対の上方蓋縁５２の一端は、収納枠３の上縁部３４に形成された枢着部３４ａに枢着されており、他端には、上方蓋５を開閉するための手掛け部５３が形成されている。この手掛け部５３は、上方蓋縁５２の略中央を上方蓋５の外方上部へ膨隆して形成されている。なお、この場合、収納枠３の手掛け部５３が位置する箇所には膨隆部３２が形成されていないので、避難者は容易に手掛け部５３を掴むことができ、上方蓋５の開閉を容易に行うことができる（図１，図４，図５参照）。
【００３５】
また、上方蓋板５１の収納枠３側面には、蓋開閉用リンク機構７の一端が枢着される一対のリンク取付片５４が取り付けられており、上方蓋板５１の略中央部には手掛け棒５５が取り付けられている（図１〜図３参照）。
【００３６】
上記下方蓋６は、収納枠３の下縁部３７内に収容される矩形状の下方蓋板６１と、下方蓋板６１の４辺から上方側に略直角に折曲された下方蓋縁６２とで一体に形成されている。また、一対の下方蓋縁６２の一端には、フック状に切り欠いた係止受部６３が形成されており中枠部３０に形成された係止部３０ａに回動可能に係合されている。また、下方蓋縁６２の係止受部６３側には、蓋開閉用リンク機構７の一端が枢着されており、下方蓋縁６２の略中央には下蓋ステー６０の一端が枢着されている（図１、図２参照）。
【００３７】
このように構成された上方蓋５と下方蓋６とは、蓋開閉用リンク機構７を介して相互に連結されており、上方蓋５が上方に開放されると、この上方蓋５が直立姿勢を固定保持すると共に、下方蓋６が連動して自動的に下方に開放されるように構成されている。また、中枠部３０と下方蓋６とを下蓋ステー６０を摺動可能に連結することによって、上方蓋５及び下方蓋６の開閉を補助すると共に、下方蓋６の開蓋状態を制限することができる。
【００３８】
次に、上記のように形成される収納枠３の製造方法について、図６に示す図面と、図７に示すフローチャートに沿って説明する。
【００３９】
まず、図６−１に示すように、１枚の帯状金属板例えばステンレス板の一側端の長手方向に沿う両端部３ａ，３ｂと、長手方向に沿う辺部の適宜間隔をおいた第１の切欠き３６ａ、第２の切欠き３６ｂ、第３の切欠き３６ｃ、第４の切欠き３６ｄとを切欠き成形すると共に、第１の切欠き３６ａと第２の切欠き３６ｂの間及び第３の切欠き３６ｃと第４の切欠き３６ｄの間における側片３１に蓋開閉用リンク機構７の取付用突部３３ａ及び取付孔３３ｂを成形する打抜き・絞り工程を行う（ステップ７−１）。
【００４０】
次に、図６−２に示すように、上記第１〜第４の切欠き３６ａ，３６ｂ，３６ｃ，３６ｄが形成された辺部を折曲して上方折曲縁片３５を成形すると共に、切欠きが形成されていない側の辺部を上方折曲縁片３５と反対の方向に折曲して下方折曲縁片３８を成形し、両側端部を残した側片３１に上方折曲縁片３５の折曲方向と反対方向に突出する膨隆部３２を絞り成形する折曲・絞り工程を行う（ステップ７−２）。
【００４１】
次に、図６−３に示すように、上方折曲縁片３５の切欠き３６ａ，３６ｂ，３６ｃ，３６ｄが成形された位置における側片３１をプレス成形により直角状に折曲して方形状に形成する四方曲げ工程を行う（ステップ７−３）。
【００４２】
この四方曲げ工程において、上方折曲縁片３５及び下方折曲縁片３８の折曲部の内側に入れ子を当接して方形状に形成してもよい。このように入れ子を用いることにより、折曲部の内側に生じるしわを防止して、見栄えをよくすることができる。
【００４３】
このように形成された方形枠を、図６−４に示すように、例えばシーム溶接機１００の上方ローラ電極１０３及び下方ローラ電極１０４間に側片３１の両端部が重合した箇所を配置させて溶接する溶接工程を行って製造作業が終了する（ステップ７−４）。
【００４４】
上記シーム溶接機１００は、図６−４に示すように、図示しないシーム溶接機本体に突設される上方電極アーム１０１と、この上方電極アーム１０１の下方に位置すると共に、上方電極アーム１０１に平行に突設される下方電極アーム１０２と、上方電極アーム１０１の先端に回転可能かつ上下移動可能に取り付けられる上方ローラ電極１０３と、下方電極アーム１０２の先端に回転可能に取り付けられると共に、側面が上方ローラ電極１０３の側面と当接可能な下方ローラ電極１０４とで主に構成されている。
【００４５】
このように構成されたシーム溶接機１００は、上方ローラ電極１０３と下方ローラ電極１０４との間に配置された収納枠３の側片３１の重合した両端部を、上方ローラ電極１０３と下方ローラ電極１０４間で加圧すると共に通電を行い、両ローラ電極１０３，１０４を回転させることで、連続的に溶接することができる。したがって、溶接部が加圧された状態で連続的に溶接されるので、溶接部の気水密性の向上を図ることができる。また、溶接部の前加工精度を不要にすることができると共に、溶接作業の熟練を必要とせずに安定した溶接作業を行うことができる。
【００４６】
上記のように構成されるこの発明の避難梯子用収納枠３は、１枚の金属板をプレス成形することで形成することができるので、収納枠３の構成部材を削減を図ることができる。また、溶接部を１箇所にすることで、溶接による製造の手間を低減することができると共に、溶接による耐食性の低下を防ぎ、美観の向上等を図ることができる。また、収納枠３の上方蓋５の手掛け部５３が位置する側片３１には膨隆部３２が形成されないので、上方蓋５と収納枠３の間の隙間を広くすることができ、上方蓋５の開蓋を容易にすることができる。
【００４７】
また、収納枠３の製造を、打抜き・絞り工程（ステップ７−１）と、折曲・絞り工程（ステップ７−２）と、四方曲げ工程（ステップ７−３）と、溶接工程（ステップ７−４）とで行うことで、構成部材の削減を図ることができると共に、製造コストの低減を図ることができる。
【００４８】
また、溶接工程における溶接をシーム溶接で行うことによって、溶接部の気水密性が向上するので、浸水による溶接部の耐食性の低下を防ぐと共に、美観の向上を図ることができる。
【図面の簡単な説明】
【００４９】
【図１】この発明に係る避難梯子用収納枠を有する避難梯子装置の使用状態（展開状態）を示す斜視図である。
【図２】上記避難梯子用収納枠と上方蓋及び下方蓋の開放状態を示す断面図である。
【図３】上記避難梯子用収納枠と上方蓋及び下方蓋の折畳み状態（収納状態）を示す断面図である。
【図４】上記避難梯子用収納枠の斜視図である。
【図５】上記避難梯子用収納枠の正面図である。
【図６−１】上記避難梯子用収納枠の製造方法における打抜き・絞り工程を示す平面図（ａ）及び側面図（ｂ）である。
【図６−２】上記避難梯子用収納枠の製造方法における折曲・絞り工程を示す平面図（ａ）及び側面図（ｂ）である。
【図６−３】上記避難梯子用収納枠の製造方法における四方曲げ工程を示す平面図（ａ）及び側面図（ｂ）である。
【図６−４】上記避難梯子用収納枠の製造方法における溶接工程を示す斜視図である。
【図７】上記避難梯子用収納枠の製造方法の手順を示すフローチャートである。
【図８】上記避難梯子用収納枠の第１の変形例を示す断面図（ａ）及び第２の変形例を示す断面図（ｂ）である。
【符号の説明】
【００５０】
３  収納枠
７  蓋開閉用リンク機構（蓋開閉用リンク）
３１  側片
３２  膨隆部
３３ａ  取付用突部
３３ｂ  取付孔（孔）
３５  上方折曲縁片
３６ａ  第１の切欠き部
３６ｂ  第２の切欠き部
３６ｃ  第３の切欠き部
３６ｄ  第４の切欠き部
３８  下方折曲縁片
【図１】
2005054399.tif 000003
【図２】
2005054399.tif 000004
【図３】
2005054399.tif 000005
【図４】
2005054399.tif 000006
【図５】
2005054399.tif 000007
【図６−１】
2005054399.tif 000008
【図６−２】
2005054399.tif 000009
【図６−３】
2005054399.tif 000010
【図６−４】
2005054399.tif 000011
【図７】
2005054399.tif 000012
【図８】
2005054399.tif 000013